(57)【要約】【課題】ノートパソコンのキートップ上に書面資料等を置いた場合に自動で内蔵カメラを起動して撮影することが可能な情報処理装置を提供する。【解決手段】上面に操作部を有する第１の筐体と、画像を撮影する撮像部を有する第２の筐体とがヒンジ手段により回動可能に接続された情報処理装置であって、撮像部が第１の筐体の上面を撮影可能に所定時間保持されたときに撮像部が該上面上の画像を撮影する。【選択図】図３
2011076267.tif 000002
【特許請求の範囲】
【請求項１】
上面に操作部を有する第１の筐体と、
画像を撮影する撮像部を有する第２の筐体とがヒンジ手段により回動可能に接続された情報処理装置であって、
前記撮像部が前記第１の筐体の上面を撮影可能に所定時間保持されたときに前記撮像部が該上面上の画像を撮影することを特徴とする情報処理装置。
【請求項２】
前記ヒンジ手段のヒンジ角度を検知するヒンジ角度検知手段を有し、
前記撮像部は、前記ヒンジ角度検知手段が予め定められた前記ヒンジ角度を検知し、所定時間保持された場合に前記第１の筐体の上面上の画像を撮影することを特徴とする請求項１に記載の情報処理装置。
【請求項３】
前記撮像部は、上下に角度を変更できる角度変更手段を有し、
前記角度変更手段により前記撮像部が予め定められた角度に変更され、前記ヒンジ角度検知手段が予め定められた前記ヒンジ角度を検知し、所定時間保持された場合に前記第１の筐体の上面上の画像を撮影することを特徴とする請求項２に記載の情報処理装置。
【請求項４】
前記撮像部で前記第１の筺体の操作部に置かれた画像を撮像するために前記撮像部の視野角を補正する視野角補正手段と、
前記視野角補正手段が前記撮像部に装着されたことを検知する視野角補正検知手段と、
を有し、
前記視野角補正検知手段により前記視野角補正手段が前記撮像部に装着されたことを検知し、前記ヒンジ角度検知手段が予め定められた前記ヒンジ角度を検知し、所定時間保持された場合に前記第１の筐体の上面上の画像を撮影することを特徴とする請求項２に記載の情報処理装置。
【請求項５】
予め定められたヒンジ角度を知らせる角度通知手段を有することを特徴とする請求項１から４のいずれか１項に記載の情報処理装置。
【請求項６】
前記予め定められたヒンジ角度は、前記第１の筺体と前記第２の筺体とのなす角度が略４０度以上略１８０度未満であることを特徴とする請求項２に記載の情報処理装置。
【請求項７】
前記第１の筺体に対して前記第２の筺体を略垂直に開いた場合に、前記撮像部の視野角の中心線と前記第２の筺体とのなす角度が前記第１の筺体側に略３０度から略５０度傾いていることを特徴とする請求項１または２に記載の情報処理装置。
【請求項８】
前記角度変更手段は、前記第２の筺体に回動可能に設けられていることを特徴とする請求項３に記載の情報処理装置。
【請求項９】
前記第１の筺体に対して前記第２の筺体を略垂直に開いた場合に、前記角度変更手段は前記撮像部の視野角の中心線と前記第２の筺体とのなす角度が前記第１の筺体側に略３０度から略５０度傾くように回動可能であることを特徴とする請求項８に記載の情報処理装置。
【請求項１０】
前記角度変更手段と連動して回動するチルトダイヤルを有することを特徴とする請求項９に記載の情報処理装置。
【請求項１１】
前記角度変更手段は、前記第２の筺体にチルト可能に設けられていることを特徴とする請求項３に記載の情報処理装置。
【請求項１２】
前記第１の筺体に対して前記第２の筺体を略垂直に開いた場合に、前記角度変更手段は前記撮像部の視野角の中心線と前記第２の筺体とのなす角度が前記第１の筺体側に略３０度から略５０度傾くようにチルト可能であることを特徴とする請求項１１に記載の情報処理装置。
【請求項１３】
前記視野角補正手段は、前記撮像部で前記第１の筺体の操作部に置かれた画像を撮像するために前記撮像部の視野角の中心線を前記第１の筺体の上面に対して略垂直となるように補正することを特徴とする請求項４に記載の情報処理装置。
【請求項１４】
前記視野角補正手段は、前記第１の筺体の上面上の画像を反射して前記撮像部に入射させることを特徴とする請求項４に記載の情報処理装置。
【請求項１５】
前記視野角補正手段は、前記第１の筺体の上面上の画像を導入して前記撮像部に入射させることを特徴とする請求項４に記載の情報処理装置。
【請求項１６】
前記撮像した画像を補正する画像補正手段を有することを特徴とする請求項１から１５のいずれか１項に記載の情報処理装置。
【請求項１７】
上面に操作部を有する第１の筐体と、
画像を撮影する撮像部を有する第２の筐体とがヒンジ手段により回動可能に接続された情報処理装置の資料撮影方法であって、
画像資料を前記操作部上面に設置する画像資料設置工程と、
予め定められたヒンジ角度を知らせる角度通知工程と、
前記ヒンジ手段のヒンジ角度を検知するヒンジ角度検知工程と、
前記撮像部が前記ヒンジ角度検知手段により予め定められた前記ヒンジ角度を検知し、所定時間保持された場合に前記第１の筐体の上面上の画像資料を撮影する工程と、
を有することを特徴とする情報処理装置の資料撮影方法。
【請求項１８】
上面に操作部を有する第１の筐体と、
画像を撮影する撮像部を有する第２の筐体とがヒンジ手段により回動可能に接続された情報処理装置の資料撮影方法であって、
画像資料を前記操作部上面に設置する画像資料設置工程と、
前記撮像部の角度を変更する角度変更工程と、
予め定められたヒンジ角度を知らせる角度通知工程と、
前記ヒンジ手段のヒンジ角度を検知するヒンジ角度検知工程と、
前記撮像部が前記ヒンジ角度検知手段により予め定められた前記ヒンジ角度を検知し、所定時間保持された場合に前記第１の筐体の上面上の画像資料を撮影する工程と、
を有することを特徴とする情報処理装置の資料撮影方法。
【請求項１９】
上面に操作部を有する第１の筐体と、
画像を撮影する撮像部を有する第２の筐体とがヒンジ手段により回動可能に接続された情報処理装置の資料撮影方法であって、
画像資料を前記操作部上面に設置する画像資料設置工程と、
前記撮像部で前記第１の筺体の操作部に置かれた画像資料を撮像するために前記撮像部の視野角を補正する視野角補正工程と、
前記撮像部の視野角補正手段が前記撮像部に装着されたことを検知する視野角補正検知工程と、
予め定められたヒンジ角度を知らせる角度通知工程と、
前記ヒンジ手段のヒンジ角度を検知するヒンジ角度検知工程と、
前記視野角補正検知工程により前記視野角補正手段が前記撮像部に装着されたことを検知し、前記ヒンジ角度検知手段が予め定められた前記ヒンジ角度を検知し、所定時間保持された場合に前記第１の筐体の上面上の画像資料を撮影する工程と、
を有することを特徴とする情報処理装置の資料撮影方法。
【請求項２０】
請求項１７から１９のいずれか１項に記載の資料撮影方法をコンピュータに実行させることを特徴とするプログラム。
【請求項２１】
請求項２０に記載のプログラムを記録したコンピュータ読み取り可能な記録媒体。
【発明の詳細な説明】
【技術分野】
【０００１】
本発明は、カメラを内蔵した表示パネルを持つ電子機器に関し、特にノートパソコンなどの内蔵カメラで書面資料等を撮影できる情報処理装置に関する。
【背景技術】
【０００２】
通信のブロードバンド化が進み、ネットワークを利用したＴＶ電話や、光通信回線を利用したＴＶ電話などが急速に浸透している。
【０００３】
例えばノートパソコンにＵＳＢインターフェイスを有するカメラを接続し、ＡＤＳＬなどのブロードバンドを利用してＴＶ電話やＴＶ会議を行うなどの利用がされている。
【０００４】
またモバイル型のノートパソコンでは、ＵＳＢカメラを一緒に持ち歩く必要がないようにカメラモジュールを表示画面の周辺に内蔵して、表示画面の手前に存在する使用者の画像を撮影し、その画像を通信相手に送るような構成となっている。
【０００５】
例えば特許文献１においては、ノートパソコンの表示パネル上部にカメラを搭載し、パネルの傾斜角度を変化させてもカメラの方向は常に一定角度を保つようにして、カメラの角度を調整しなくても常に使用者の画像を撮影できるという発明が開示されている。
【０００６】
また、デジタルカメラやカメラ内蔵の携帯電話機等で簡便に書面資料等を撮影してデジタルデータ（画像データ）として取り込むことが行われている。
【０００７】
ノートパソコンでは内蔵カメラを起動した後に、カメラの前に撮影したい書面資料等を手で持ってかざして撮影することが行われている。
【０００８】
しかし、撮影するカメラや撮影される書面資料等が固定されていないために被写体がブレたりして上手く撮影することができないことが多い。
【０００９】
一般的に書面資料などをデジタルデータとして取り込みプレゼンテーションや会議などで使用したい場合は、書画カメラで資料台上の書面資料等を撮影する方法があるが、専用の装置が必要となり簡便に書面資料等を撮影することは出来ない。
【００１０】
そこで簡便に書面資料などを撮影してデジタルデータを取り込むために、ノートパソコンの表示パネルに内蔵されたカメラでキートップ（入力装置またはキーボード、以下同様を意味する）上に置いた書面資料等を撮影できれば非常に便利である。
【先行技術文献】
【特許文献】
【００１１】
【特許文献１】特開平１１−９５８６５号公報
【発明の概要】
【発明が解決しようとする課題】
【００１２】
特許文献１に記載されている方法は、表示画面の手前に存在する使用者の画像を撮影するために、表示画面パネルの傾斜角度を変化させてもカメラの方向は常に一定角度を保つようにしているのでキートップ上に置いた書面資料等を撮影することは出来ないという問題がある。
【００１３】
撮影したい書面資料等をノートパソコンのキートップ上に置いて、内蔵のカメラで撮影するという方法は、従来のノートＰＣでは実現できていない。
【００１４】
また撮影したい書面資料等をノートパソコンのキートップ上に置いた場合は、キーボードやスライドパッド類は、資料により隠れてしまいカメラを起動するなどの操作を行うことは困難である。
【００１５】
そこで本発明は、上記問題点に鑑みてなされたもので、ノートパソコンのキートップ上に書面資料等を置いた場合に自動で内蔵カメラを起動して撮影することが可能な情報処理装置を提供することを目的とする。
【課題を解決するための手段】
【００１６】
上記課題を解決するため、本発明に係る情報処理装置は、上面に操作部を有する第１の筐体と、画像を撮影する撮像部を有する第２の筐体とがヒンジ手段により回動可能に接続された情報処理装置であって、撮像部が第１の筐体の上面を撮影可能に所定時間保持されたときに撮像部が該上面上の画像を撮影することを特徴とする。
【００１７】
また本発明に係る情報処理装置の資料撮影方法は、上面に操作部を有する第１の筐体と、画像を撮影する撮像部を有する第２の筐体とがヒンジ手段により回動可能に接続された情報処理装置の資料撮影方法であって、画像資料を操作部上面に設置する画像資料設置工程と、予め定められたヒンジ角度を知らせる角度通知工程と、ヒンジ手段のヒンジ角度を検知するヒンジ角度検知工程と、撮像部がヒンジ角度検知手段により予め定められたヒンジ角度を検知し、所定時間保持された場合に第１の筐体の上面上の画像資料を撮影する工程と、を有することを特徴とする。
【００１８】
また本発明に係る情報処理装置の資料撮影方法は、上面に操作部を有する第１の筐体と、画像を撮影する撮像部を有する第２の筐体とがヒンジ手段により回動可能に接続された情報処理装置の資料撮影方法であって、画像資料を操作部上面に設置する画像資料設置工程と、撮像部の角度を変更する角度変更工程と、予め定められたヒンジ角度を知らせる角度通知工程と、ヒンジ手段のヒンジ角度を検知するヒンジ角度検知工程と、撮像部がヒンジ角度検知手段により予め定められたヒンジ角度を検知し、所定時間保持された場合に第１の筐体の上面上の画像資料を撮影する工程と、を有することを特徴とする。
【００１９】
また本発明に係る情報処理装置の資料撮影方法は、上面に操作部を有する第１の筐体と、画像を撮影する撮像部を有する第２の筐体とがヒンジ手段により回動可能に接続された情報処理装置の資料撮影方法であって、画像資料を操作部上面に設置する画像資料設置工程と、撮像部で第１の筺体の操作部に置かれた画像資料を撮像するために撮像部の視野角を補正する視野角補正工程と、撮像部の視野角補正手段が撮像部に装着されたことを検知する視野角補正検知工程と、予め定められたヒンジ角度を知らせる角度通知工程と、ヒンジ手段のヒンジ角度を検知するヒンジ角度検知工程と、視野角補正検知工程により視野角補正手段が撮像部に装着されたことを検知し、ヒンジ角度検知手段が予め定められたヒンジ角度を検知し、所定時間保持された場合に第１の筐体の上面上の画像資料を撮影する工程と、を有することを特徴とする。
【００２０】
また本発明に係るプログラムは、上記に記載の資料撮影方法をコンピュータに実行させることを特徴とする。
【００２１】
また本発明に係る記録媒体は、上記に記載のプログラムを記録したコンピュータ読み取り可能な媒体であることを特徴とする。
【発明の効果】
【００２２】
本発明により、ノートパソコンのキートップ上に書面資料等を置いた場合に自動で内蔵カメラを起動して撮影することが可能になる。
【図面の簡単な説明】
【００２３】
【図１】本発明の実施形態に係る第１の実施形態に係るノートパソコンの概略図である。
【図２】本発明の実施形態に係る第１の実施形態におけるノートパソコンの内蔵カメラの取付け角度を説明する図である。
【図３】第１の実施形態におけるキートップ上に置いた書面資料１０等を撮影する状態を説明する図である。
【図４】第２の実施形態における内蔵カメラのレンズチルトを説明する図である。
【図５】第３の実施形態における内蔵カメラのレンズチルトを説明する図である。
【図６】第４の実施形態における内蔵カメラのレンズチルトを説明する図である。
【図７】第５の実施形態におけるキートップ上に置いた書面資料１０等を撮影する状態を説明する図である。
【図８】第５の実施形態における視野補正用部品を説明する図である。
【図９】第１の実施形態における内蔵カメラで撮影する流れを示すフローチャート図である。
【図１０】第２〜４の実施形態における内蔵カメラで撮影する流れを示すフローチャート図である。
【図１１】第５の実施形態における内蔵カメラで撮影する流れを示すフローチャート図である。
【図１２】矩形変形処理の流れを示すフローチャートである。
【図１３】矩形変形処理を説明する図である。
【図１４】従来のノートパソコンの内蔵カメラの視野について説明する図である。
【図１５】従来のノートパソコンにおけるキートップ上に置いた書面資料１０等を撮影する状態を説明する図である。
【発明を実施するための形態】
【００２４】
本発明の好適な実施の形態についてノートパソコンを例にして説明する。
【００２５】
図１は、第１の実施形態に係るノートパソコンの概略図である。
【００２６】
本実施形態のノートパソコンは、ノートパソコン本体１と表示パネル部２とを備えて構成される。
【００２７】
ノートパソコン本体１は、キーボード６とスライドパッド７とを備える。その他、外部機器とのインターフェイスや記録媒体の読み取り、書き込み装置など、公知のノートパソコンと同様であるので詳細な説明は省略する。
【００２８】
表示パネル部２は、画像を表示する液晶パネル８と内蔵カメラ３とを備える。内蔵カメラ３は表示パネル部２のベゼル上辺中央付近に配置して装着されている。
【００２９】
内蔵カメラ３は、ＣＣＤイメージセンサやＣＭＯＳイメージセンサ等の固体撮像素子とレンズを備えたものである。また、内蔵カメラの機能としてオートフォーカス機能やズーム機能などを備えていても良い。また内蔵カメラとしては公知のものが適用可能である。
【００３０】
図１４は、従来のノートパソコンの内蔵カメラの視野について説明する図である。
【００３１】
従来の内蔵カメラ３の視野は、表示パネル部２に対して垂直な中心線４の上下約３０度である。従って、本発明の課題であるノートパソコン本体１のキートップ上に撮影したい書面資料１０等を置き、内蔵カメラが設置されている表示パネル部２をキートップ側に閉じる方向に傾けたとしても、キートップ上の書面資料１０等は内蔵カメラの視野に入らずに撮影することが出来ない（図１５を参照）。
【００３２】
図１５は、従来のノートパソコンにおけるキートップ上に置いた書面資料１０等を撮影する状態を説明する図である。
【００３３】
図１５に示すように、表示パネル部２を垂直に開いた状態（破線で表す）から、キートップ上に置いた書面資料１０等を撮影するために、表示パネル部２をキートップ側に閉じる方向に傾けた状態（実線で表す）を示す。従来の内蔵カメラ３の取付け角度では、キートップ上に置いた書面資料１０等が内蔵カメラの視野の中に入らない。
【００３４】
図２は、第１の実施形態におけるノートパソコンの内蔵カメラの取付け角度を説明する図である。
【００３５】
従来の内蔵カメラの視野角（画角）の中心線は、表示パネル２に対して垂直（略９０度）であったが、本実施形態においては、内蔵カメラの視野角の中心線４は、表示パネル２を略垂直に開いた状態に対してノートパソコンの表示パネル２とカメラの視野角（画角）の中心線４とのなす角度を略３０〜５０度に設定する。なお、一般的な内蔵カメラの視野角（画角）は、例えば、略６０度として説明するが、これに限定されることではない。
【００３６】
例えば、超広角レンズ、又は魚眼レンズは最大１８０度の画角で、さらに広い画角をもつものもある。また一般的に、広角レンズは１００度〜６０度、標準レンズは５０度〜２５度、望遠レンズは１５度〜１０度、超望遠レンズは８度〜１度の画角である。
【００３７】
なお、キートップ上の書面資料を確実に内蔵カメラの視野角に収めるために、視野角中心線４を略３０度〜５０度傾けるのが好適である。また、内蔵カメラの視野角が６０度の場合は、視野角中心線４を略３０度傾けるのがさらに好適である。カメラの視野角が６０度以上の広角カメラの場合は、傾ける角度は３０度より大きくても良い。
【００３８】
内蔵カメラの視野角（画角）中心線４と表示パネル２とのなす角度を上記のように略３０〜５０度に設定した場合、カメラの視野角（画角）は中心線４の上下略３０度であり、キートップ上の書面資料等を視野角の中に納めるためには、内蔵カメラが設置されている表示パネル部２をキートップ側に対して閉じる方向に傾ける必要がある。
【００３９】
キートップ上の書面資料等を内蔵カメラ３の視野角の中に収めるためには、内蔵カメラ３の視野角が６０度の場合は、表示パネル部２とノートパソコン本体１のキートップ上との角度（ヒンジ角度とも記述する）を、略１８０度未満６０度以上に設定するのが好適である。さらにキートップ上の書面資料などを視野角の中に歪みが少ない状態で収めるためには、内蔵カメラ３の視野角の中心線４がノートパソコン本体１のキートップ上の面に対し垂直に近い角度で交わるような位置関係であることが望ましい。
【００４０】
すなわち、ヒンジ角度は、上述した内蔵カメラ３の視野角中心線４と表示パネル部２とのなす角度を略３０〜５０度に設定するのに合わせ、略６０度〜略４０度に設定するのが望ましい。詳しくは、内蔵カメラ３の視野角（画角）中心線４がキートップ上と略垂直に交わる場合に表示パネル部２とノートパソコン本体１のキートップ上との角度（ヒンジ角度）は、内蔵カメラの中心線４を傾けた角度（例えば３０度）を９０度から減算した角度（例えば、９０度−３０度＝６０度）に設定することが望ましい。しかし上述した理由より内蔵カメラの視野角によって最適なヒンジ角度を設定すると良い。
【００４１】
なお、視野角中心線の角度を、次の式で定義される角度α〜βの範囲に調整することで、カメラの視野にキートップを納めることができる。
【００４２】
α＝Ａ／２
β＝（１８０−Ｂ）／２−Ａ／２    （Ａ：カメラ画角、Ｂ：ヒンジ角度）
ただし上記の条件式は、（１８０−Ｂ）／２＞Ａ  の場合に適用できる。
【００４３】
なお、撮影に最適なヒンジ角度をガイドするために、例えば最適なヒンジ角度で音が鳴る、段付き感がある、クリック感触がある、引っかかり感があり一時停止するなどのヒンジガイド機構を設ける。
【００４４】
また、ヒンジ角度を検知するためのヒンジ角度センサ（図示せず）が設置されている。角度を検知するセンサとしては、電気的接点方式、機械的に検知する方式、磁気的方式、光学的方式など角度を検知できる公知のものが適用可能である。
【００４５】
図３は、第１の実施形態におけるキートップ上に置いた書面資料１０等を撮影する状態を説明する図である。
【００４６】
図３に示すように、表示パネル部２を垂直に開いた状態（破線で表す）から、キートップ上に置いた書面資料１０等を撮影するために、表示パネル部２をキートップ側に閉じる方向に傾けた状態（実線で表す）を示す。
【００４７】
本実施形態における内蔵カメラ３の取付け角度では、キートップ上に置いた書面資料１０等が内蔵カメラ３の視野の中に入るために撮影することが可能である。
【００４８】
また、キートップ上に書面資料があることを検知するセンサを配置（図示せず）して、書面資料を検知した時だけ、書面資料撮影モードになるようにしても良い。
【００４９】
図４は、第２の実施形態における内蔵カメラ３のレンズチルトを説明する図である。
【００５０】
上述した第１の実施形態においては、内蔵カメラ３の取付け角度は固定であった。以下に説明する他の実施形態では、内蔵カメラはチルト機構を備えている。
【００５１】
内蔵カメラ３が配置されている表示パネル２のベゼル上辺中央付近に内蔵カメラ３を取り付けた基材３ａが回動自在に取り付けられている。また取付け基材３ａが回転した角度を検知する角度センサ１２を備える。
【００５２】
角度を検知するセンサとしては、電気的接点方式、機械的に検知する方式、磁気的方式、光学的方式など角度を検知できる公知のものが適用可能である。
【００５３】
しかしながら新たな角度センサを増やすことでコストアップが懸念されるため、従来のノートパソコンにあるセンサを適用することが好ましい。
【００５４】
内蔵カメラ３を取り付けた基材３ａは回転方向に対して回動自在であり、ユーザが手で回すことにより内蔵カメラ３をチルトさせることが可能である。
【００５５】
内蔵カメラ３のチルト角度の範囲は、上述した固定の場合と同様な、内蔵カメラ３の視野角中心線４が、表示パネル２を略垂直に開いた状態に対してノートパソコンの表示パネル２とカメラの視野角（画角）の中心線４とのなす角度を略３０〜５０度に設定できるように、チルト角度を設定する。
【００５６】
なお、撮影に最適なチルト角度をガイドするために、例えば最適なチルト角度で音が鳴る、段付き感がある、クリック感触がある、引っかかり感があり一時停止するなどのチルトガイド機構を設ける。
【００５７】
なお、キートップ上の書面資料を確実に内蔵カメラの視野角に収めるために、視野角中心線４を略３０度〜５０度傾けるのが好適である。また、内蔵カメラの視野角が６０度の場合は、視野角中心線４を略３０度傾けるのがさらに好適である。カメラの視野角が６０度以上の広角カメラの場合は、傾ける角度は３０度より大きくても良い。
【００５８】
内蔵カメラの視野角（画角）中心線４と表示パネル２とのなす角度を上記のように略３０〜５０度に設定した場合、カメラの視野角（画角）は中心線４の上下略３０度であり、キートップ上の書面資料等を視野角の中に納めるためには、内蔵カメラが設置されている表示パネル部２をキートップ側に対して閉じる方向に傾ける必要がある。
【００５９】
また、キートップ上の書面資料等を内蔵カメラ３の視野角の中に収めるためには、内蔵カメラ３の視野角が６０度の場合は、表示パネル部２とノートパソコン本体１のキートップ上との角度（ヒンジ角度とも記述する）を、略１８０度未満６０度以上に設定するのが好適である。さらにキートップ上の書面資料などを視野角の中に歪みが少ない状態で収めるためには、内蔵カメラ３の視野角の中心線４がノートパソコン本体１のキートップ上の面に対し垂直に近い角度で交わるような位置関係であることが望ましい。
【００６０】
すなわち、ヒンジ角度は、上述した内蔵カメラ３の視野角中心線４と表示パネル部２とのなす角度を略３０〜５０度に設定するのに合わせ、略６０度〜略４０度に設定するのが望ましい。詳しくは、内蔵カメラ３の視野角（画角）中心線４がキートップ上と略垂直に交わる場合に表示パネル部２とノートパソコン本体１のキートップ上との角度（ヒンジ角度）は、内蔵カメラの中心線４を傾けた角度（例えば３０度）を９０度から減算した角度（例えば、９０度−３０度＝６０度）に設定することが望ましい。しかし上述した理由より内蔵カメラの視野角によって最適なヒンジ角度を設定すると良い。
【００６１】
なお、視野角中心線の角度を、次の式で定義される角度α〜βの範囲に調整することで、カメラの視野にキートップを納めることができる。
【００６２】
α＝Ａ／２
β＝（１８０−Ｂ）／２−Ａ／２    （Ａ：カメラ画角、Ｂ：ヒンジ角度）
ただし上記の条件式は、（１８０−Ｂ）／２＞Ａ  の場合に適用できる。
【００６３】
なお、撮影に最適なヒンジ角度をガイドするために、例えば最適なヒンジ角度で音が鳴る、段付き感がある、クリック感触がある、引っかかり感があり一時停止するなどのヒンジガイド機構を設ける。
【００６４】
また、ヒンジ角度を検知するためのヒンジ角度センサ（図示せず）が設置されている。角度を検知するセンサとしては、電気的接点方式、機械的に検知する方式、磁気的方式、光学的方式など角度を検知できる公知のものが適用可能である。
【００６５】
図５は、第３の実施形態における内蔵カメラのレンズチルトを説明する図である。
【００６６】
図４において、内蔵カメラ３のチルトは内蔵カメラ３を取り付けた基材３ａをユーザが手で回すことにより行っていたが、取付け基材３ａと連動するダイヤル形状の内蔵カメラ３のチルトダイヤル１１を表示パネル２のベゼルに設けている。
【００６７】
このチルトダイヤル１１により容易に内蔵カメラ３の角度を変更することが可能である。内蔵カメラ３のチルト角度の範囲は、上述した固定の場合と同様な、内蔵カメラ３の視野角中心線４が、表示パネル２を略垂直に開いた状態に対してノートパソコンの表示パネル２とカメラの視野角（画角）の中心線４とのなす角度を略３０〜５０度に設定できるように、チルト角度を設定する。
【００６８】
なお、撮影に最適なチルト角度をガイドするために、例えば最適なチルト角度で音が鳴る、段付き感がある、クリック感触がある、引っかかり感があり一時停止するなどのチルトガイド機構を設ける。
【００６９】
また上述したように取付け基材３ａが回転した角度を検知する角度センサ１２を備える。角度を検知するセンサとしては、電気的接点方式、機械的に検知する方式、磁気的方式、光学的方式など角度を検知できる公知のものが適用可能である。
【００７０】
なお、キートップ上の書面資料を確実に内蔵カメラの視野角に収めるために、視野角中心線４を略３０度〜５０度傾けるのが好適である。また、内蔵カメラの視野角が６０度の場合は、視野角中心線４を略３０度傾けるのがさらに好適である。カメラの視野角が６０度以上の広角カメラの場合は、傾ける角度は３０度より大きくても良い。
【００７１】
内蔵カメラの視野角（画角）中心線４と表示パネル２とのなす角度を上記のように略３０〜５０度に設定した場合、カメラの視野角（画角）は中心線４の上下略３０度であり、キートップ上の書面資料等を視野角の中に納めるためには、内蔵カメラが設置されている表示パネル部２をキートップ側に対して閉じる方向に傾ける必要がある。
【００７２】
また、キートップ上の書面資料等を内蔵カメラ３の視野角の中に収めるためには、内蔵カメラ３の視野角が６０度の場合は、表示パネル部２とノートパソコン本体１のキートップ上との角度（ヒンジ角度とも記述する）を、略１８０度未満６０度以上に設定するのが好適である。さらにキートップ上の書面資料などを視野角の中に歪みが少ない状態で収めるためには、内蔵カメラ３の視野角の中心線４がノートパソコン本体１のキートップ上の面に対し垂直に近い角度で交わるような位置関係であることが望ましい。
【００７３】
すなわち、ヒンジ角度は、上述した内蔵カメラ３の視野角中心線４と表示パネル部２とのなす角度を略３０〜略５０度に設定するのに合わせ、略６０度〜略４０度に設定するのが望ましい。詳しくは、内蔵カメラ３の視野角（画角）中心線４がキートップ上と略垂直に交わる場合に表示パネル部２とノートパソコン本体１のキートップ上との角度（ヒンジ角度）は、内蔵カメラの中心線４を傾けた角度（例えば３０度）を９０度から減算した角度（例えば、９０度−３０度＝６０度）に設定することが望ましい。しかし上述した理由より内蔵カメラの視野角によって最適なヒンジ角度を設定すると良い。
【００７４】
なお、視野角中心線の角度を、次の式で定義される角度α〜βの範囲に調整することで、カメラの視野にキートップを納めることができる。
【００７５】
α＝Ａ／２
β＝（１８０−Ｂ）／２−Ａ／２    （Ａ：カメラ画角、Ｂ：ヒンジ角度）
ただし上記の条件式は、（１８０−Ｂ）／２＞Ａ  の場合に適用できる。
【００７６】
なお、撮影に最適なヒンジ角度をガイドするために、例えば最適なヒンジ角度で音が鳴る、段付き感がある、クリック感触がある、引っかかり感があり一時停止するなどのヒンジガイド機構を設ける。
【００７７】
図６は、第４の実施形態における内蔵カメラのレンズチルトを説明する図である。
【００７８】
図４及び図５では、内蔵カメラ３の取付け基材３ａが回動自在に回転できるようになっていた。この実施形態では、レンズ３の部分だけがチルトできる内蔵カメラ３の取付け基材１３が設けられている。
【００７９】
図５（ａ）は、内蔵カメラの通常の位置であり、書面資料等を撮影するために内蔵カメラ３をチルトする場合は、図５（ｂ）に示すように取付け基材１３の下側を押し込むように押すことで、内蔵カメラ３の角度を下側に変更する。
【００８０】
一方、書面資料等の撮影が終了したら、図５（ｃ）に示すように取付け基材１３の上側を押し込むように押すことで、内蔵カメラ３の角度を通常の位置（図５（ｄ））に戻すことができる。
【００８１】
内蔵カメラ３のチルト角度の範囲は、上述した固定の場合と同様な、内蔵カメラ３の視野角中心線４が、表示パネル２を略垂直に開いた状態に対してノートパソコンの表示パネル２とカメラの視野角（画角）の中心線４とのなす角度を略３０〜５０度に設定できるように、チルト角度を設定する。
【００８２】
なお、撮影に最適なチルト角度をガイドするために、例えば最適なチルト角度で音が鳴る、段付き感がある、クリック感触がある、引っかかり感があり一時停止するなどのチルトガイド機構を設ける。
【００８３】
また上述したと同様にように取付け基材１３が移動した角度を検知する角度センサ（図示せず）を備える。角度を検知するセンサとしては、電気的接点方式、機械的に検知する方式、磁気的方式、光学的方式など角度を検知できる公知のものが適用可能である。
【００８４】
なお、キートップ上の書面資料を確実に内蔵カメラの視野角に収めるために、視野角中心線４を略３０度〜５０度傾けるのが好適である。また、内蔵カメラの視野角が６０度の場合は、視野角中心線４を略３０度傾けるのがさらに好適である。カメラの視野角が６０度以上の広角カメラの場合は、傾ける角度は３０度より大きくても良い。
【００８５】
内蔵カメラの視野角（画角）中心線４と表示パネル２とのなす角度を上記のように略３０〜５０度に設定した場合、カメラの視野角は中心線４の上下略３０度であり、キートップ上の書面資料等を視野角の中に納めるためには、内蔵カメラが設置されている表示パネル部２をキートップ側に対して閉じる方向に傾ける必要がある。
【００８６】
また、キートップ上の書面資料等を内蔵カメラ３の視野角の中に収めるためには、内蔵カメラ３の視野角が６０度の場合は、表示パネル部２とノートパソコン本体１のキートップ上との角度（ヒンジ角度とも記述する）を、略１８０度未満６０度以上に設定するのが好適である。さらにキートップ上の書面資料などを視野角の中に歪みが少ない状態で収めるためには、内蔵カメラ３の視野角の中心線４がノートパソコン本体１のキートップ上の面に対し垂直に近い角度で交わるような位置関係であることが望ましい。
【００８７】
すなわち、ヒンジ角度は、上述した内蔵カメラ３の視野角中心線４と表示パネル部２とのなす角度を略３０〜５０度に設定するのに合わせ、略６０度〜略４０度に設定するのが望ましい。詳しくは、内蔵カメラ３の視野角（画角）中心線４がキートップ上と略垂直に交わる場合に表示パネル部２とノートパソコン本体１のキートップ上との角度（ヒンジ角度）は、内蔵カメラの中心線４を傾けた角度（例えば３０度）を９０度から減算した角度（例えば、９０度−３０度＝６０度）に設定することが望ましい。しかし上述した理由より内蔵カメラの視野角によって最適なヒンジ角度を設定すると良い。
【００８８】
なお、視野角中心線の角度を、次の式で定義される角度α〜βの範囲に調整することで、カメラの視野にキートップを納めることができる。
【００８９】
α＝Ａ／２
β＝（１８０−Ｂ）／２−Ａ／２    （Ａ：カメラ画角、Ｂ：ヒンジ角度）
ただし上記の条件式は、（１８０−Ｂ）／２＞Ａ  の場合に適用できる。
【００９０】
なお、撮影に最適なヒンジ角度をガイドするために、例えば最適なヒンジ角度で音が鳴る、段付き感がある、クリック感触がある、引っかかり感があり一時停止するなどのヒンジガイド機構を設ける。
【００９１】
また、ヒンジ角度を検知するためのヒンジ角度センサ（図示せず）が設置されている。角度を検知するセンサとしては、電気的接点方式、機械的に検知する方式、磁気的方式、光学的方式など角度を検知できる公知のものが適用可能である。
【００９２】
図７は、第５の実施形態におけるキートップ上に置いた書面資料１０等を撮影する状態を説明する図である。
【００９３】
従来のノートパソコンと同様に内蔵カメラ３は表示パネル部２のベゼル上辺中央付近に配置して装着されている。内蔵カメラ３の取付け角度は従来と変わらず、内蔵カメラ３の視野は、表示パネル部２に対して垂直な中心線４の上下約３０度である。
【００９４】
第５の実施形態においては、ノートパソコン本体１のキートップ上に撮影したい書面資料１０等を置き、内蔵カメラが設置されている表示パネル部２をキートップ側に閉じる方向に傾けた場合に、予め設定された最適な表示パネルの傾けた角度で、キートップ上の書面資料１０等が内蔵カメラの視野に入るようにするための視野補正用部品９を取り付けている。
【００９５】
視野補正用部品９とは、例えば鏡であり、キートップ上の書面資料１０等の画像を反射するものである。この時の鏡の取り付け角度は、キートップ上の書面資料１０等を撮影できる最適な角度とする。
【００９６】
例えば、表示パネル部２とノートパソコン本体１のキートップ上との角度（ヒンジ角度）を略６０度とすると、鏡に入射して反射する角度は等しいため内蔵カメラ３の中心線４が入射する角度が略３０度となるように鏡の角度を設定する。
【００９７】
本実施形態では、キートップ上に置かれた書面資料を撮影するために、内蔵カメラ３の視野角中心線４をキートップ上面に対して略垂直となるように補正しているが、キートップ上の書面資料が内蔵カメラ３の視野角に収まれば良いので、必ずしも略垂直となるように補正するものでなくても良い。
【００９８】
さらに視野補正用部品９として例えば、図８に示すような内蔵カメラ３に入射する光を曲げて導入する光ファイバー９ａのようなものであっても良い。
【００９９】
なお、撮影に最適なヒンジ角度をガイドするために、例えば最適なヒンジ角度で音が鳴る、段付き感がある、クリック感触がある、引っかかり感があり一時停止するなどのヒンジガイド機構を設ける。
【０１００】
また、ヒンジ角度を検知するためのヒンジ角度センサ（図示せず）が設置されている。角度を検知するセンサとしては、電気的接点方式、機械的に検知する方式、磁気的方式、光学的方式など角度を検知できる公知のものが適用可能である。
【０１０１】
図９は、第１の実施形態におけるノートパソコン本体１のキートップ上に撮影したい書面資料１０等を置き、内蔵カメラで撮影する流れを示すフローチャート図である。
【０１０２】
最初にキートップ上に撮影する書面資料を置く（ステップＳ１０）。次に表示パネル２を書面資料撮影のヒンジ角度にする（ステップＳ１１）。そしてヒンジ角度が書面資料撮影位置かを判断する（ステップＳ１２）。
【０１０３】
撮影位置でない場合（ステップＳ１２、ＮＯ）は、判断を繰り返す。ヒンジ角度が撮影位置の場合（ステップＳ１２、ＹＥＳ）は、予め定めた一定時間が経過したかを判断する（ステップＳ１３）。一定時間経過していない場合（ステップＳ１３、ＮＯ）は、判断を繰り返す。一定時間が経過した場合（ステップＳ１３、ＹＥＳ）は、内蔵カメラを起動する（ステップＳ１４）。
【０１０４】
そして予め設定した時間が経過したらキートップ上の書面資料を撮影する（ステップＳ１５）。撮影した画像の画像処理を行い（ステップＳ１６）、処理画像を記憶部に記憶（ステップＳ１７）した後、画像を表示する（ステップＳ１８）。
【０１０５】
なお、ステップＳ１１の書面資料撮影のヒンジ角度にする動作の前に、表示パネル２を一旦閉じ、表示パネル２をすぐに開いて書面資料撮影位置のヒンジ角度にするという動作を行っても良い。その際はステップＳ１０の前に、表示パネル２が閉じられた後に定められた時間以内に表示パネル２を開くという判断が追加されることになる。
【０１０６】
さらに、キートップ上に書面資料があることを検知するセンサを配置（図示せず）して、書面資料を検知した時だけ、書面資料撮影モードになるような判断をステップＳ１０に加えても良い。
【０１０７】
図１０は、第２〜４の実施形態におけるノートパソコン本体１のキートップ上に撮影したい書面資料１０等を置き、内蔵カメラで撮影する流れを示すフローチャート図である。
【０１０８】
最初にキートップ上に撮影する書面資料を置く（ステップＳ２０）。そして内蔵カメラを書面資料を撮影する角度にチルトする（ステップＳ２１）。次に表示パネル２を書面資料撮影のヒンジ角度にする（ステップＳ２２）。まず、内蔵カメラのチルト角が書面資料撮影位置であるかを判断する（ステップＳ２３）。撮影位置でない場合（ステップＳ２３、ＮＯ）は、ステップＳ２１に戻る。
【０１０９】
撮影位置の場合（ステップＳ２３、ＹＥＳ）は、ヒンジ角度が書面資料撮影位置かを判断する（ステップＳ２４）。撮影位置でない場合（ステップＳ２４、ＮＯ）は、ステップＳ２２に戻る。ヒンジ角度が撮影位置の場合（ステップＳ２４、ＹＥＳ）は、予め定めた一定時間が経過したかを判断する（ステップＳ２５）。一定時間経過していない場合（ステップＳ２５、ＮＯ）は、判断を繰り返す。
【０１１０】
一定時間が経過した場合（ステップＳ２５、ＹＥＳ）は、内蔵カメラを起動する（ステップＳ２６）。そして予め設定した時間が経過したらキートップ上の書面資料を撮影する（ステップＳ２７）。撮影した画像の画像処理を行い（ステップＳ２８）、処理画像を記憶部に記憶（ステップＳ２９）した後、画像を表示する（ステップＳ３０）。
【０１１１】
なお、ステップＳ２１の書面資料撮影のヒンジ角度にする動作の前に、表示パネル２を一旦閉じ、表示パネル２をすぐに開いて書面資料撮影位置のヒンジ角度にするという動作を行っても良い。その際はステップＳ２０の前に、表示パネル２が閉じられた後に定められた時間以内に表示パネル２を開くという判断が追加されることになる。
【０１１２】
さらに、キートップ上に書面資料があることを検知するセンサを配置（図示せず）して、書面資料を検知した時だけ、書面資料撮影モードになるような判断をステップＳ２０に加えても良い。
【０１１３】
図１１は、第５の実施形態におけるノートパソコン本体１のキートップ上に撮影したい書面資料１０等を置き、内蔵カメラで撮影する流れを示すフローチャート図である。
【０１１４】
最初にキートップ上に撮影する書面資料を置く（ステップＳ４０）。そして内蔵カメラに視野補正用部品を装着する（ステップＳ４１）。次に表示パネル２を書面資料撮影のヒンジ角度にする（ステップＳ４２）。
【０１１５】
まず、内蔵カメラに視野補正用部品が装着されたかを判断する（ステップＳ４３）。装着されていない場合（ステップＳ４３、ＮＯ）は、ステップＳ４１に戻る。装着されている場合（ステップＳ４３、ＹＥＳ）は、ヒンジ角度が書面資料撮影位置かを判断する（ステップＳ４４）。撮影位置でない場合（ステップＳ４４、ＮＯ）は、ステップ４２に戻る。
【０１１６】
ヒンジ角度が撮影位置の場合（ステップＳ４４、ＹＥＳ）は、予め定めた一定時間が経過したかを判断する（ステップＳ４５）。一定時間経過していない場合（ステップＳ４５、ＮＯ）は、判断を繰り返す。一定時間が経過した場合（ステップＳ４５、ＹＥＳ）は、内蔵カメラを起動する（ステップＳ４６）。そして予め設定した時間が経過したらキートップ上の書面資料を撮影する（ステップＳ４７）。撮影した画像の画像処理を行い（ステップＳ４８）、処理画像を記憶部に記憶（ステップＳ４９）した後、画像を表示する（ステップＳ５０）。
【０１１７】
なお、ステップＳ４２の書面資料撮影のヒンジ角度にする動作の前に、表示パネル２を一旦閉じ、表示パネル２をすぐに開いて書面資料撮影位置のヒンジ角度にするという動作を行っても良い。その際はステップＳ４０の前に、表示パネル２が閉じられた後に定められた時間以内に表示パネル２を開くという判断が追加されることになる。
【０１１８】
さらに、キートップ上に書面資料があることを検知するセンサを配置（図示せず）して、書面資料を検知した時だけ、書面資料撮影モードになるような判断をステップＳ４０に加えても良い。
【０１１９】
次に、本実施形態における画像処理のうちの矩形変形処理について説明する。上述した第１〜第５の実施形態において、内蔵カメラ３の中心線４がノートパソコン本体１のキートップ面と垂直な関係で無い場合は、撮影される画像は台形歪みをすることになる。そこで以下に説明する矩形変形処理を撮影で取得した画像データに実行する。
【０１２０】
図１２は、矩形変形処理の流れを示すフローチャートである。図１３は、処理を説明する図である。
【０１２１】
まず撮影画像Ｇ１に対して色と輝度の変化によるエッジを確認する（ステップＳ６０、図１３（ａ））。次に、認識したエッジの中から外周の４辺Ｌ１〜Ｌ４に近い直線Ｍ１〜Ｍ４を求め（ステップＳ６１、図１３（ｂ））、さらに直線Ｍ１〜Ｍ４の交点つまり４頂点を求める（ステップＳ６３）。
【０１２２】
その後、図１３に示すように、上記４頂点からなる４角形を撮影画像Ｇ１における書面資料領域Ｇａとし、その４頂点を書面資料領域Ｇａに外接する最小の矩形Ｂの４頂点に移動させるよう、書面資料領域Ｇａの形状を変換する（ステップＳ６３、図１３（ｃ））。これにより、書面資料領域Ｇａに矩形歪みのない補正後の画像Ｇ２が得られる。
【０１２３】
これにより、書面資料領域Ｇａの矩形歪みが台形歪みであった場合であっても、上記処理によって補正されることになる。
【０１２４】
なお、上述した矩形処理は一例であり、台形歪みを補正する画像処理であれば公知の技術が適用可能である。さらに、撮影した画像データをデジタルデータに変換する処理や画像補正処理なども公知の技術が適用可能である。
【０１２５】
上記の実施形態によれば、スキャナやデジタルカメラなどの他電子機器を使用せず、ノートパソコン単独でドキュメントのスキャンを実施可能である。またキートップにドキュメントを置くことで、ブレ無くドキュメントスキャンを実施可能である。これによりノートパソコンを手持ちにした状態でもスキャンが可能である。
【０１２６】
なお、上述する実施形態は、本発明の好適な実施形態であり、上記実施形態のみに本発明の範囲を限定するものではなく、本発明の要旨を逸脱しない範囲において種々の変更を施した形態での実施が可能である
【０１２７】
すなわち、上記した実施形態の情報処理装置は、プログラムの命令によりコンピュータで実行される処理、手段、機能によって動作する。当該プログラムは、コンピュータの各構成要素に指令を送り、先に述べたような所定の処理や機能を実行する。
【０１２８】
このように、上記実施形態の情報処理装置における各処理や手段は、プログラムとコンピュータとが協働した具体的手段によって実現されるものである。
【０１２９】
そして、上記実施形態の機能を実現するソフトウェアのプログラムコードを記録したコンピュータ読み取り可能な記録媒体、すなわち記憶メディアを介して、情報処理装置のコンピュータ（ＣＰＵやＭＰＵ）が記憶メディアに格納されたプログラムコードを読み出し実行することによっても、本発明の目的は達成される。
【０１３０】
また、プログラムは、記録メディアを介さず、通信回線を通じて直接にコンピュータにロードし実行することもでき、これによっても同様に本発明の目的は達成される。
【０１３１】
この場合、記憶メディアから読み出された又は通信回線を通じてロードし実行されたプログラムコード自体が前述の実施形態の機能を実現することになる。そして、そのプログラムコードを記憶した記憶メディアは本発明を構成する。
【０１３２】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【０１３３】
また本発明に係る情報処理装置は、前記ヒンジ手段のヒンジ角度を検知するヒンジ角度検知手段を有し、前記撮像部は、前記ヒンジ角度検知手段が予め定められた前記ヒンジ角度を検知し、所定時間保持された場合に前記第１の筐体の上面上の画像を撮影することを特徴とする。
【０１３４】
また本発明に係る情報処理装置の前記撮像部は、上下に角度を変更できる角度変更手段を有し、前記角度変更手段により前記撮像部が予め定められた角度に変更され、前記ヒンジ角度検知手段が予め定められた前記ヒンジ角度を検知し、所定時間保持された場合に前記第１の筐体の上面上の画像を撮影することを特徴とする。
【０１３５】
また本発明に係る情報処理装置は、前記撮像部で前記第１の筺体の操作部に置かれた画像を撮像するために前記撮像部の視野角を補正する視野角補正手段と、前記視野角補正手段が前記撮像部に装着されたことを検知する視野角補正検知手段と、を有し、前記視野角補正検知手段により前記視野角補正手段が前記撮像部に装着されたことを検知し、前記ヒンジ角度検知手段が予め定められた前記ヒンジ角度を検知し、所定時間保持された場合に前記第１の筐体の上面上の画像を撮影することを特徴とする。
【０１３６】
また本発明に係る情報処理装置は、予め定められたヒンジ角度を知らせる角度通知手段を有することを特徴とする。
【０１３７】
また本発明に係る情報処理装置は、前記予め定められたヒンジ角度は、前記第１の筺体と前記第２の筺体とのなす角度が略４０度以上略１８０度未満であることを特徴とする。
【０１３８】
また本発明に係る情報処理装置は、前記第１の筺体に対して前記第２の筺体を略垂直に開いた場合に、前記撮像部の視野角の中心線と前記第２の筺体とのなす角度が前記第１の筺体側に略３０度から略５０度傾いていることを特徴とする。
【０１３９】
また本発明に係る情報処理装置の前記角度変更手段は、前記第２の筺体に回動可能に設けられていることを特徴とする。
【０１４０】
また本発明に係る情報処理装置は、前記第１の筺体に対して前記第２の筺体を略垂直に開いた場合に、前記角度変更手段は前記撮像部の視野角の中心線と前記第２の筺体とのなす角度が前記第１の筺体側に略３０度から略５０度傾くように回動可能であることを特徴とする。
【０１４１】
また本発明に係る情報処理装置は、前記角度変更手段と連動して回動するチルトダイヤルを有することを特徴とする。
【０１４２】
また本発明に係る情報処理装置の前記角度変更手段は、前記第２の筺体にチルト可能に設けられていることを特徴とする。
【０１４３】
また本発明に係る情報処理装置は、前記第１の筺体に対して前記第２の筺体を略垂直に開いた場合に、前記角度変更手段は前記撮像部の視野角の中心線と前記第２の筺体とのなす角度が前記第１の筺体側に略３０度から略５０度傾くようにチルト可能であることを特徴とする。
【０１４４】
また本発明に係る情報処理装置の前記視野角補正手段は、前記撮像部で前記第１の筺体の操作部に置かれた画像を撮像するために前記撮像部の視野角の中心線を前記第１の筺体の上面に対して略垂直となるように補正することを特徴とする。
【０１４５】
また本発明に係る情報処理装置の前記視野角補正手段は、前記第１の筺体の上面上の画像を反射して前記撮像部に入射させることを特徴とする。
【０１４６】
また本発明に係る情報処理装置の前記視野角補正手段は、前記第１の筺体の上面上の画像を導入して前記撮像部に入射させることを特徴とする。
【０１４７】
また本発明に係る情報処理装置は、前記撮像した画像を補正する画像補正手段を有することを特徴とする。
【産業上の利用可能性】
【０１４８】
本発明によれば、ノートパソコンなどの情報処理装置、携帯電話などカメラを内蔵した表示パネルを持つ折りたたみ型電子機器などの用途に適用できる。
【符号の説明】
【０１４９】
１    ノートパソコン本体
２    表示パネル
３    内蔵カメラ
３ａ    取付け基材
４    内蔵カメラの視野中心線
５    内蔵カメラの視野
６    キーボード
７    スライドパッド
８    液晶パネル
９、９ａ    視野補正用部品
１０    書面資料
１１    チルトダイヤル
１２    角度センサ
１３    取付け基材
【図１】
2011076267.tif 000003
【図２】
2011076267.tif 000004
【図３】
2011076267.tif 000005
【図４】
2011076267.tif 000006
【図５】
2011076267.tif 000007
【図６】
2011076267.tif 000008
【図７】
2011076267.tif 000009
【図８】
2011076267.tif 000010
【図９】
2011076267.tif 000011
【図１０】
2011076267.tif 000012
【図１１】
2011076267.tif 000013
【図１２】
2011076267.tif 000014
【図１３】
2011076267.tif 000015
【図１４】
2011076267.tif 000016
【図１５】
2011076267.tif 000017